(57)【特許請求の範囲】
【請求項１】
容器口部に装着され、注出部を設けたキャップ本体と、キャップ本体に開閉可能に装着される上蓋とからなるキャップにおいて、
注出部は、飲み口舌片と、内方に注出口を開口する隔壁部とを具え、
隔壁部には、飲み口舌片側の直線部と、円弧部とから略Ｄ字形に形成された切断可能な破断部が設けられ、破断部により、内方に、略Ｄ字形の注出口を形成する除去部と、直線部より外側に、堰き止め斜壁が形成され、
除去部には、破断部の直線部と円弧部とが交差する二つの角部のいずれか一方側に近接した位置に立設された支柱を介してプルリングが設けられていることを特徴とする飲料用キャップ。
【請求項２】
飲み口舌片は、中央部が最上部となる略舌形に形成されていることを特徴とする請求項１記載の飲料用キャップ。
【請求項３】
飲み口舌片は、隔壁部の堰き止め斜壁側に、破断部の二つの角部の間で円弧状に形成されていることを特徴とする請求項１または２記載の飲料用キャップ。
【請求項４】
上蓋がヒンジを介してキャップ本体に装着され、
注出部が、注出筒と隔壁部とからなり、
注出筒のヒンジの反対側の所定の範囲に、飲み口舌片が形成されていることを特徴とする請求項１記載の飲料用キャップ。
【発明の詳細な説明】
【技術分野】
【０００１】
本発明は、容器に取り付けられ、抜栓により注出口が形成されるキャップ、特に抜栓時に簡単に開口でき、また、飲料時に内容液を飛び散らないようにした飲料用キャップに関するものである。
【背景技術】
【０００２】
内容液を充填した容器の口部に装着し、その後プルリングなどで抜栓して内容液を注出する注出口を形成するキャップは、従来から知られている（例えば、特許文献１参照）。
【先行技術文献】
【特許文献】
【０００３】
【特許文献１】実公昭５３−５３６４７号公報
【発明の概要】
【発明が解決しようとする課題】
【０００４】
しかしながら、上記特許文献１記載の従来容器では、容器を傾けて内容液を注出する際に、容器を傾けすぎた場合、内容液が勢いよく出過ぎて周りを汚してしまうという問題があった。
【０００５】
また、隔壁を開口するために破断部（スコア線８）を破断する際に、プルリング（引張りタブ７）に指を掛けて引っ張ると、引っ張り方向が注出液の案内壁（６）の方向であるため、案内壁の内面に指が当接して汚すという問題があった。
また、プルリングの支柱が破断線の円弧部の中央にあるため、引っ張り力が分散して破断部を破断するのに強い力が必要であった。
【０００６】
本発明は、上記問題を解決することを課題とし、隔壁を開口するために、プルリングに指を掛けて引っ張った際に、指を注出液の案内壁に当接させないとともに、簡単に破断部を破断することができ、内容液を注出する際には、内容液が勢いよく出てしまうことを防ぐようにした飲料用キャップを提供することを目的とする。
【課題を解決するための手段】
【０００７】
本発明は、上記の課題を解決するために、飲料用キャップとして、容器口部に装着され、注出部を設けたキャップ本体と、キャップ本体に開閉可能に装着される上蓋とからなるキャップにおいて、注出部は、飲み口舌片と、内方に注出口を開口する隔壁部とを具え、隔壁部には、飲み口舌片側の直線部と、円弧部とから略Ｄ字形に形成された切断可能な破断部が設けられ、破断部により、内方に、略Ｄ字形の注出口を形成する除去部と、直線部より外側に、堰き止め斜壁が形成され、除去部には、破断部の直線部と円弧部とが交差する二つの角部のいずれか一方側に近接した位置に立設された支柱を介してプルリングが設けられていることを特徴とする構成を採用する。
【０００８】
飲み口舌片の実施例として、飲み口舌片は、中央部が最上部となる略舌形に形成されていることを特徴とする構成、または、飲み口舌片は、隔壁部の堰き止め斜壁側に、破断部の二つの角部の間で円弧状に形成されていることを特徴とする構成を採用する。
【０００９】
飲み口舌片の別実施例として、上蓋がヒンジを介してキャップ本体に装着され、注出部が、注出筒と隔壁部とからなり、注出筒のヒンジの反対側の所定の範囲に、飲み口舌片が形成されていることを特徴とする構成を採用する。
【発明の効果】
【００１０】
本発明は、キャップ本体の隔壁部に、直線部と、円弧部とから略Ｄ字形に形成された切断可能な破断部が設けられ、破断部により、内方に、略Ｄ字形の注出口を形成する除去部が設けられ、除去部の破断部の直線部と円弧部とが交差する二つの角部のいずれか一方側に近接した位置に立設された支柱を介してプルリングが設けられているので、プルリングに指を掛けて引っ張り、除去部を除去する際に、引っ張り力が破断部の支柱を設けた角部に集中するとともに、破断が進むと直線部および円弧部の角部側から切断されるので、破断し易くすることができる。
また、プルリングを引っ張る方向が飲み口舌片の反対方向となり、指が飲み口舌片の内面に当接することを防ぎ、清潔に保つことができる。
【００１１】
さらに、隔壁部には、破断部により、内方に、略Ｄ字形の注出口を形成する除去部と、直線部より外側に、堰き止め斜壁が形成されているので、容器を傾けて内容液を注出する際に、容器を傾けすぎても、内容液が堰き止め斜壁に一旦堰き止められるので、内容液が大量に注出されて溢れ出すことを防ぐことができる。
【図面の簡単な説明】
【００１２】
【図１】本発明第１実施例の飲料用キャップの抜栓前の状態を示す説明図で、（ａ）はキャップ本体の上面図、（ｂ）はキャップ本体と上蓋の断面側面図である。
【図２】第１実施例の飲料用キャップの断面後面図である。
【図３】第１実施例の飲料用キャップの抜栓後の上面図である。
【図４】本発明第２実施例の飲料用キャップの抜栓前の状態を示す説明図で、（ａ）は上面図、（ｂ）は断面側面図である。
【図５】第２実施例のキャップ本体の断面後面図である。
【図６】第２実施例の飲料用キャップの抜栓後の上面図である。
【発明を実施するための形態】
【００１３】
次に、本発明の飲料用キャップの実施例について、図面を参照して説明する。
【実施例１】
【００１４】
図１、２において、Ａは容器口部に装着するキャップ本体、Ｂはキャップ本体Ａに開閉可能に装着される上蓋である。
【００１５】
キャップ本体Ａは、内周が容器口部外周と嵌合する嵌合筒１と、嵌合筒１上端内周に連設されるリング状の上壁２と、上壁２の内周に中間部が連設される係合筒３と、係合筒３の内周に連設される注出部４が設けられている。
【００１６】
係合筒３は、下部外周が容器口部内周に挿入され、上部外周が上蓋Ｂの内周と螺合し、閉蓋する装着部５が設けられている。
【００１７】
注出部４は、係合筒３内周から内方に向け、下方に傾斜する傾斜壁６と、傾斜壁６内周に垂設される内筒７と、内筒７下端内周に連設される隔壁部８と、隔壁部８の上面の所定の位置に立設され、中央部が最上端部となる略舌形に形成される飲み口舌片９とからなっている。
【００１８】
隔壁部８には、飲み口舌片９側の直線部１０ａと、円弧部１０ｂとから略Ｄ字形に形成された切断可能な破断部１０が設けられ、破断部１０により、内方に、所定の上面に支柱１１を介してプルリング１２を立設した除去部１３が設けられている。
隔壁部８は、内筒７下端内周から直線部１０ａと円弧部１０ｂに達するように設けられ、直線部１０ａの外側の隔壁は、堰き止め斜壁１４として形成され、円弧部１０ｂ側の隔壁部８ａより傾斜が緩やかであるとともに、直線部１０ａまでの分だけ内方に突出している。
【００１９】
飲み口舌片９は、隔壁部８の堰き止め斜壁１４側に破断部１０の直線部１０ａと円弧部１０ｂとが交わる二つの角部１０ｃの間で円弧状に形成されている。
【００２０】
支柱１１は、除去部１３の破断部１０の直線部１０ａと円弧部１０ｂとが交差する二つの角部１０ｃのいずれか一方側に近接した位置に立設されている。
また、除去部１３の上面に、支柱１１側から反対方向に向かって引っ張り方向を示す方向案内１５を表示するようにしてもよい。
【００２１】
上蓋Ｂは、頂壁１６と、頂壁１６外縁に垂設される外周壁１７と、外周壁１７にリブで連設され、内周がキャップ本体Ａの係合筒３の装着部５と螺合する係合筒１８と、頂壁１６下面に垂設され、外周下部が係合筒３の内周に挿入される密封筒１９とからなっている。
【００２２】
次に、本実施例の飲料用キャップの作用効果について、説明する。
本実施例の飲料用キャップが装着された容器から内容液を注出するためには、まず、上蓋Ｂを外す。
【００２３】
次に、プルリング１２に指を掛け、支柱１１の反対側（方向案内１５の方向）に引っ張り、隔壁部８の破断部１０を破断させて除去部１３を隔壁部８から除去し、図３に示すように、略Ｄ字形の注出口Ｓを開口させる。
【００２４】
プルリング１２に指を掛け、除去部１３を除去する際に、支柱１１が除去部１３の破断部１０の二つの角部１０ｃのいずれか一方側に近接した位置に立設されているので、引っ張って破断部１０を切断させる力が角部１０ｃに集中するとともに、破断が進むと直線部１０ａおよび円弧部１０ｂの角部１０ｃ側から切断されるので、支柱１１を直線部１０ａ、或いは円弧部１０ｂ上で角部１０ｃより離れた位置に配設したものに比べ、破断し易くすることができる。
【００２５】
また、支柱１１を飲み口舌片９側に配設しているので、プルリング１２を引っ張る方向が飲み口舌片９の反対側となり、飲み口舌片９がプルリング１２を引っ張る際に邪魔になったり、指が飲み口舌片９に当り、汚してしまうことを防止することができる。
【００２６】
注出口Ｓを開口させた後に、容器を傾けて、内容液を注出口Ｓから飲み口舌片９の内側を流路として外部に注出する。
【００２７】
所要の内容液を飲み終えた後に、容器を元に戻す。
その際、注出口Ｓ上に残る液は、飲み口舌片９の上面、円弧部１０ｂの隔壁部８ａを通じて注出口Ｓから容器内に戻される。
【００２８】
容器を傾けて内容液を注出する際に、容器を傾けすぎても、注出部４の隔壁部８に注出口Ｓと堰き止め斜壁１４が形成されており、内容液が堰き止め斜壁１４に一旦堰き止められるので、内容液が大量に注出されて溢れ出すのを防ぐことができる。
【００２９】
上記実施例では、上蓋Ｂをキャップ本体Ａに螺合して装着したが、装着して密封できればよいので、容器本体の装着部と上蓋とを突部と凹部の嵌合などで装着するようにしてもよく、上蓋Ｂとキャップ本体Ａの装着方法は、上記実施例の形態に限定されない。
【実施例２】
【００３０】
次に、キャップ基体および上蓋の構成をヒンジキャップとした第２実施例について、説明する。
本実施例の第１実施例と同一の構成部分には、同一の符号に添字ａを付して図示し、詳しい説明を省略し、相違点を中心に説明する。
【００３１】
図４、５において、Ａａは容器口部に装着するキャップ本体、Ｂａはキャップ本体ＡａにヒンジＣを介して開閉可能に取り付けられた上蓋である。
【００３２】
キャップ本体Ａａは、容器口部外周と嵌合する係合筒部２０と、係合筒部２０に連設され、外周上部の所定の位置にヒンジＣが連設される外周壁部２１と、係合筒１８上端内周に連設されるリング状の上壁２２と、上壁２２の内縁に垂設される係合内筒部２３と、係合内筒部２３の内周下端に連設される注出筒２４と、注出筒２４の内周に連設される隔壁部２５とによって形成されている。
【００３３】
上壁２２の上面には、外周が上蓋Ｂａ下部内周と係合して閉蓋する蓋係合部２６が設けられている。
【００３４】
注出筒２４のヒンジＣの反対側には、中央部が最高位置となるように両側より起立する飲み口舌片９ａが形成されている。
【００３５】
隔壁部２５には、飲み口舌片９ａ側の直線部２７ａと、円弧部２７ｂとから略Ｄ字形に形成された切断可能な破断部２７が設けられ、破断部２７により、内方に、所定の上面に支柱１１ａを介してプルリング１２ａを立設した除去部１３ａと、直線部２７ａより外側に、円弧部２７ｂ側に比べ、傾斜が緩やかであるとともに直線部２７ａまでの分だけ内方に突出する堰き止め斜壁２８が形成されている。
【００３６】
支柱１１ａは、除去部１３ａの破断部２７の直線部２７ａと円弧部２７ｂとが交差する二つの角部２７ｃのいずれか一方側に近接した位置に立設されている。
また、除去部１３ａの上面には、支柱１１ａ側から反対方向に向かって引っ張り方向を示す方向案内１５ａを表示するようにしてもよい。
【００３７】
上蓋Ｂａは、頂壁１６ａと、頂壁１６ａ外縁に垂設され、内周下部がキャップ本体Ａａの蓋係合部２６と係合するとともに、外周下部の所定の位置にヒンジＣを連設した外周壁１７ａと、頂壁１６ａ下面に垂設され、外周下部が注出筒２４の内周に挿入される密封筒１９ａとからなっている。
【００３８】
次に、本実施例の飲料用キャップの作用効果について、説明する。
本実施例の飲料用キャップが装着された容器から内容液を注出するためには、まず、上蓋の摘み部に指をかけ、上蓋Ｂａを開く。
【００３９】
次に、プルリング１２ａに指を掛け、支柱１１ａの反対側（方向案内１５ａの方向）に引っ張り、隔壁部２５の破断部２７を破断させて除去部１３ａを隔壁部２５から除去し、図６に示すように、略Ｄ字形の注出口Ｓを開口させる。
【００４０】
プルリング１２ａに指を掛け、除去部１３ａを除去する際に、支柱１１ａが除去部１３ａの破断部２７の二つの角部２７ｃのいずれか一方側に近接した位置に立設されているので、引っ張って破断部２７を切断させる力が角部２７ｃに集中するとともに、破断が進むと直線部２７ａおよび円弧部２７ｂの角部２７ｃ側から切断され、簡単に除去することができる。
【００４１】
また、支柱１１ａを飲み口舌片９ａ側に配設しているので、プルリング１２ａを引っ張る方向が飲み口舌片９ａの反対側となり、飲み口舌片９ａがプルリング１２ａを引っ張る際に邪魔になったり、指が飲み口舌片９ａに当り、汚れることを防止することができる。
【００４２】
注出口Ｓを開口させた後に、容器を傾けて、内容液を注出口Ｓから注出筒２４および飲み口舌片９ａの内側を流路として外部に注出する。
【００４３】
容器を傾けて内容液を注出する際に、容器を傾けすぎても、隔壁部２５に、注出口Ｓと堰き止め斜壁２８が形成されており、内容液が堰き止め斜壁２８に一旦堰き止められるので、内容液が大量に注出されて溢れ出すことを防ぐことができる。
【産業上の利用可能性】
【００４４】
本発明の飲料用キャップは、飲料用の内容液を充填した容器であれば広く使用できる。
特に、抜栓後、清潔感を保ちたい、または、飲料時に内容液を飛び散らせたくない液状食料品などの容器に広く利用できる。
【符号の説明】
【００４５】
Ａ、Ａａ      キャップ本体
Ｂ、Ｂａ      上蓋
Ｃ            ヒンジ
Ｓ            注出口
１            嵌合筒
２、２２      上壁
３            係合筒
４            注出部
５            装着部
６            傾斜壁
７            内筒
８、８ａ、２５  隔壁部
９、９ａ      飲み口舌片
１０、２７    破断部
１０ａ、２７ａ    直線部
１０ｂ、２７ｂ    円弧部
１０ｃ、２７ｃ    角部
１１、１１ａ  支柱
１２、１２ａ  プルリング
１３、１３ａ  除去部
１４、２８    堰き止め斜壁
１５、１５ａ  方向案内
１６、１６ａ  頂壁
１７、１７ａ  外周壁
１８          係合筒
１９、１９ａ  密封筒
２０          係合筒部
２１          外周壁部
２３          係合内筒部
２４          注出筒
２６          蓋係合部
【図１】
0005425724.tif 000002
【図２】
0005425724.tif 000003
【図３】
0005425724.tif 000004
【図４】
0005425724.tif 000005
【図５】
0005425724.tif 000006
【図６】
0005425724.tif 000007